(57)【要約】【課題】本発明の目的は、簡素な方法により、薬剤等の使用よりも安全性の高い、動物の体表面の菌の増殖を抑制する方法、および人間を除いた動物の体表面の白癬菌治療の方法を提供することにある。【解決手段】動物の皮膚の少なくとも一部に、圧電体を含んだ布を対向させるように配置し、前記圧電体に外力が加えられた時に発生する電荷によって、前記布と対向する前記体表面の菌の増殖を抑制する、動物の体表面の菌抑制方法。【選択図】図１
2018075348.tif 000002
【特許請求の範囲】
【請求項１】
動物の皮膚の少なくとも一部に、圧電体を含んだ布を対向させるように配置し、
前記圧電体に外力が加えられた時に発生する電荷によって、前記布と対向する前記動物の体表面の菌の増殖を抑制する、動物の体表面の菌抑制方法。
【請求項２】
前記布は、前記圧電体からなる複数の糸が織り込まれてなる、請求項１に記載の動物の体表面の菌抑制方法。
【請求項３】
前記複数の糸は、第１の圧電体からなる第１の糸と、第２の圧電体からなる第２の糸と、を有し、
前記布は、前記第１の糸と、前記第２の糸と、が織り込まれてなる布であり、
前記第１の糸は、外力が加えられた時に正の電荷を発生し、
前記第２の糸は、外力が加えられた時に負の電荷を発生する、
請求項２に記載の動物の体表面の菌抑制方法。
【請求項４】
前記第１の糸と、前記第２の糸と、は並列して配置されている、
請求項３に記載の動物の体表面の菌抑制方法。
【請求項５】
前記第１の糸と、前記第２の糸と、は交差して配置されている、
請求項３または４に記載の動物の体表面の菌抑制方法。
【請求項６】
前記複数の糸は、前記第１の糸と、前記第２の糸とが、組紐として組まれてなる第３の糸を有する、
請求項３から５のいずれかに記載の動物の体表面の菌抑制方法。
【請求項７】
前記布を備えた衣類を前記動物に装着させる、請求項１から６のいずれかに記載の動物の体表面の菌抑制方法。
【請求項８】
前記圧電体は、圧電性ポリマーである、請求項１に記載の動物の体表面の菌抑制方法。
【請求項９】
前記圧電体は、圧電性ポリマーであり、
前記糸は、前記圧電性ポリマーが撚られてなる、請求項１から７のいずれかに記載の動物の体表面の菌抑制方法。
【請求項１０】
前記圧電性ポリマーは、ポリ乳酸を含む、請求項８または９に記載の動物の体表面の菌抑制方法。
【請求項１１】
請求項１から１０のいずれかに記載の動物の体表面の菌抑制方法を用いた、人間を除いた動物の白癬菌治療方法。
【請求項１２】
圧電体を含んだ布を備え、
前記圧電体に外力が加えられた時に発生する電荷によって菌の増殖を抑制する、動物用の衣類。
【請求項１３】
装着したときに動物の皮膚と対向するように前記布が配置されている、請求項１２に記載の動物用の衣類。
【請求項１４】
前記布は、前記圧電体からなる複数の糸が織り込まれてなる、請求項１２または１３に記載の動物用の衣類。
【請求項１５】
前記複数の糸は、第１の圧電体からなる第１の糸と、第２の圧電体からなる第２の糸と、を有し、
前記布は、前記第１の糸と、前記第２の糸と、が織り込まれてなる布であり、
前記第１の糸は、外力が加えられた時に正の電荷を発生し、
前記第２の糸は、外力が加えられた時に負の電荷を発生する、
請求項１４に記載の動物用の衣類。
【請求項１６】
前記第１の糸と、前記第２の糸と、は並列して配置されている、
請求項１５に記載の動物用の衣類。
【請求項１７】
前記第１の糸と、前記第２の糸と、は交差して配置されている、
請求項１５または１６に記載の動物用の衣類。
【請求項１８】
前記複数の糸は、前記第１の糸と、前記第２の糸とが、組紐として組まれてなる第３の糸を有する、
請求項１５から１７のいずれかに記載の動物用の衣類。
【請求項１９】
前記圧電体は、圧電性ポリマーである、請求項１２または１３に記載の動物用の衣類。
【請求項２０】
前記圧電体は、圧電性ポリマーであり、
前記糸は、前記圧電性ポリマーが撚られてなる、請求項１４から１８のいずれかに記載の動物用の衣類。
【請求項２１】
前記圧電性ポリマーは、ポリ乳酸を含む、請求項１９または２０に記載の動物用の衣類。
【発明の詳細な説明】
【技術分野】
【０００１】
本発明は、動物の体表面の菌抑制方法、人間を除いた動物の白癬菌治療方法、および抗菌性を有する動物用の衣類に関する。
【背景技術】
【０００２】
従来から、犬、猫またはハムスター等の、人間以外の動物（以下、「動物」という。）も白癬菌等による皮膚病に罹患することが知られており、動物の白癬菌治療のための方法が多数提案されている（特許文献１、特許文献２および特許文献３）。
【０００３】
また、上記動物の皮膚および体毛（以下、体表面）には、バルトネラ菌、ブドウ球菌、サルモネラ菌および白癬菌等の多数の菌（細菌および真菌）が多数常在しており、これらに接触した人間が菌に感染することがある。これに対して、上記動物を定期的に入浴させる（動物の体表面を洗い流す）ことで、体表面に常在する菌の増殖を抑制する方法が考えられる。
【先行技術文献】
【特許文献】
【０００４】
【特許文献１】特開２００４−２２４７２０号公報
【特許文献２】特開２００７−３３２１２６号公報
【特許文献３】特開２００２−２７２８６１号公報
【特許文献４】特開２００６−６７８７８号公報
【特許文献５】特開２００１−３３３６５５号公報
【発明の概要】
【発明が解決しようとする課題】
【０００５】
しかし、上述した白癬菌の治療方法では、薬剤等によるアレルギー反応が生じる場合がある。また、水を嫌う動物や大型動物の体表面を頻繁に洗い流すことは、非常に困難である。
【０００６】
本発明の目的は、簡素な方法により、薬剤等の使用よりも安全性の高い、動物の体表面の菌の増殖を抑制する方法、および人間を除いた動物の体表面の白癬菌治療の方法を提供することにある。
【０００７】
また、本発明は、薬剤等よりも安全性の高く、体表面の菌の増殖を抑制が可能な、動物用の衣類を提供することにある。
【課題を解決するための手段】
【０００８】
（１）本発明の動物の体表面の菌抑制方法は、
動物の皮膚の少なくとも一部に、圧電体を含んだ布を対向させるように配置し、
前記圧電体に外力が加えられた時に発生する電荷によって、前記布と対向する前記動物の体表面の菌の増殖を抑制することを特徴とする。
【０００９】
従来から、電場により菌の増殖を抑制することができる旨が知られている（例えば、土戸哲明，高麗寛紀，松岡英明，小泉淳一著、講談社：微生物制御−科学と工学を参照。また、例えば、高木浩一，高電圧・プラズマ技術の農業・食品分野への応用，J.HTSJ，Vol.51，No.216を参照）。また、この電場を生じさせている電位により、湿気等で形成された電流経路や、局部的なミクロな放電現象等で形成された回路を電流が流れることがある。この電流により菌の細胞膜が部分的に破壊されて菌の増殖を抑制することが考えられる。本発明では、衣類を動物に装着したときに、動物の動きによって、布の繊維間に電場が発生する、或いは電流が流れる。または、動物の皮膚の少なくとも一部に対向するように布が近接して配置されるため、布に外力が加えられると、動物の皮膚と布との間に電場が発生する、或いは電流が流れる。したがって、本発明の衣類を動物に装着するだけで、布自体の菌の増殖が抑制される。或いは、布と対向する動物の体表面（皮膚および体毛）の悪性菌（細菌・真菌）の増殖が抑制され、体表面や体毛での菌の増殖に起因した悪臭の発生も抑制できる。
【００１０】
また、本発明における布は、圧電により電場を生じさせるため、電源が不要であるし、感電のおそれもない。また、圧電体の寿命は、薬剤等による抗菌効果よりも長く持続する。また、薬剤よりもアレルギー反応が生じるおそれは低い。
【００１１】
（２）上記（１）において、前記布は、前記圧電体からなる複数の糸が織り込まれていてもよい。
【００１２】
（３）上記（２）において、前記複数の糸は、第１の圧電体からなる第１の糸と、第２の圧電体からなる第２の糸と、を有し、前記布は、前記第１の糸と、前記第２の糸と、が織り込まれてなる布であり、前記第１の糸は、外力が加えられた時に正の電荷を発生し、前記第２の糸は、外力が加えられた時に負の電荷を発生することが好ましい。この構成により、布が単体で電場を生じさせ、抗菌効果を生じさせることができる。
【００１３】
（４）上記（３）において、前記第１の糸と、前記第２の糸と、は並列して配置されていてもよい。電場の強度は、電荷を生じる物質間の距離に反比例して大きくなる。この構成により、第１の糸と第２の糸との間の距離を小さくできるため、布が生じる電場の強度を非常に大きな値とできる。したがって、布に高い抗菌作用を生じさせることができる。
【００１４】
（５）上記（３）または（４）において、前記第１の糸と、前記第２の糸と、は交差して配置されていてもよい。
【００１５】
（６）上記（３）から（５）のいずれかにおいて、前記複数の糸は、前記第１の糸と、前記第２の糸とが、組紐として組まれてなる第３の糸を有していてもよい。
【００１６】
（７）上記（１）から（６）のいずれかにおいて、前記布を備えた衣類を前記動物に装着させることが好ましい。この構成により、動物に衣類を装着させるだけで、動物の体表面の菌の増殖を抑制できる。
【００１７】
（８）上記（１）において、前記圧電体は、圧電性ポリマーであってもよい。
【００１８】
（９）上記（１）から（７）のいずれかにおいて、前記圧電体は、圧電性ポリマーであり、前記糸は、前記圧電性ポリマーが撚られてなっていてもよい。
【００１９】
（１０）上記（８）または（９）において、前記圧電性ポリマーは、ポリ乳酸を含んでいてもよい。
【００２０】
（１１）本発明の人間を除いた動物の白癬菌治療方法は、上記（１）から（１０）のいずれかの動物の体表面の菌抑制方法を用いる。
【００２１】
（１２）本発明の動物用の衣類は、
圧電体を含んだ布を備え、
前記圧電体に外力が加えられた時に発生する電荷によって菌の増殖を抑制することを特徴とする。
【００２２】
従来から、電場により菌の増殖を抑制することができる旨が知られている（例えば、土戸哲明，高麗寛紀，松岡英明，小泉淳一著、講談社：微生物制御−科学と工学を参照。また、例えば、高木浩一，高電圧・プラズマ技術の農業・食品分野への応用，J.HTSJ，Vol.51，No.216を参照）。或いは、電場を生じさせている電位により、湿気等で形成された電流経路や、局部的なミクロな放電現象等で形成された回路を電流が流れることがある。この電流により菌の細胞膜が部分的に破壊されて菌の増殖を抑制することが考えられる。本発明では、衣類を動物に装着したときに、動物の動きによって、布の繊維間に電場が発生する、或いは電流が流れる。または、動物の皮膚の少なくとも一部に対向するように布が近接して配置されるため、布に外力が加えられると、動物の皮膚と布との間に電場が発生する、電流が流れる。さらに、電場もしくは電流によって水分中に含まれる酸素が活性酸素種に変化する場合がある、または、電場もしくは電流の存在によるストレス環境により菌の細胞内に酸素ラジカルが生成される場合がある。これらのラジカル類を含む活性酸素種の作用により菌が死滅する、または弱体化する。また、上記理由が複合して抗菌効果（菌の増殖を抑制する効果）・殺菌効果を生じている場合もある。そのため、本発明の衣類を動物に装着するだけで、布と対向する動物の体表面（皮膚および体毛）の悪性菌（細菌・真菌）の増殖が抑制され、体表面や体毛での菌の増殖に起因した悪臭の発生も抑制できる。
【００２３】
また、本発明における布は、圧電により電場を生じさせるため、電源が不要であるし、感電のおそれもない。また、圧電体の寿命は、薬剤等による抗菌効果よりも長く持続する。また、薬剤よりもアレルギー反応が生じるおそれは低い。
【００２４】
（１３）上記（１２）において、装着したときに動物の皮膚と対向するように前記布が配置されていることが好ましい。本発明における衣類を装着することで、白癬菌等による皮膚病の治癒が促される。
【００２５】
（１４）上記（１２）または（１３）において、前記布は、前記圧電体からなる複数の糸が織り込まれていてもよい。
【００２６】
（１５）上記（１４）において、前記複数の糸は、第１の圧電体からなる第１の糸と、第２の圧電体からなる第２の糸と、を有し、前記布は、前記第１の糸と、前記第２の糸と、が織り込まれてなる布であり、前記第１の糸は、外力が加えられた時に表面に正の電荷を発生し、前記第２の糸は、外力が加えられた時に表面に負の電荷を発生することが好ましい。この構成により、布が単体で電場を生じさせ、抗菌効果を生じさせることができる。
【００２７】
（１６）上記（１５）において、前記第１の糸と、前記第２の糸と、は並列して配置されていることが好ましい。電場の強度は、電荷を生じる物質間の距離に反比例して大きくなる。この構成により、第１の糸と第２の糸との間の距離を小さくできるため、布が生じる電場の強度を非常に大きな値とできる。したがって、布に高い抗菌作用を生じさせることができる。
【００２８】
（１７）上記（１５）または（１６）において、前記第１の糸と、前記第２の糸と、は交差して配置されていてもよい。
【００２９】
（１８）上記（１５）から（１７）のいずれにおいて、前記複数の糸は、前記第１の糸と、前記第２の糸とが、組紐として組まれてなる第３の糸を有していてもよい。
【００３０】
（１９）上記（１２）または（１３）において、前記圧電体は、圧電性ポリマーであってもよい。
【００３１】
（２０）上記（１４）から（１８）のいずれかにおいて、前記圧電体は、圧電性ポリマーであり、前記糸は、前記圧電性ポリマーが撚られてなっていてもよい。
【００３２】
（２１）上記（１９）または（２０）において、前記圧電性ポリマーは、ポリ乳酸を含んでいてもよい。
【発明の効果】
【００３３】
本発明によれば、簡素な方法により、薬剤等の使用よりも安全性の高い、動物の体表面の菌の増殖を抑制する方法、および人間を除いた動物の体表面の白癬菌治療の方法を実現できる。
【００３４】
また、本発明によれば、薬剤等よりも安全性の高く、体表面の菌の増殖を抑制が可能な、動物用の衣類を実現できる。
【図面の簡単な説明】
【００３５】
【図１】図１（Ａ）は、第１の実施形態に係る動物用の衣類１０１の外観図であり、図１（Ｂ）は、動物用の衣類１０１を犬２０１に装着した状態を示す外観図である。
【図２】図２（Ａ）は、布１００の平面概略図であり、図２（Ｂ）は、各糸の間で生じる電場を示す図である。
【図３】図３（Ａ）は、圧電糸１の構成を示す一部分解図であり、図３（Ｂ）は、圧電糸２の構成を示す一部分解図である。
【図４】図４は、圧電フィルム１０の平面図である。
【図５】図５（Ａ）および図５（Ｂ）は、ポリ乳酸の一軸延伸方向と、電場方向と、圧電フィルム１０の変形と、の関係を示す図である。
【図６】図６（Ａ）は、外力が係った時の圧電糸１を示す図であり、図６（Ｂ）は、外力が係った時の圧電糸２を示す図である。
【図７】図７（Ａ）は、第２の実施形態に係る動物用の衣類１０２の外観図であり、図７（Ｂ）は動物用の衣類１０２を猫２０２に装着した状態を示す外観図である。
【図８】図８（Ａ）は、第３の実施形態に係る動物用の衣類１０３の外観図であり、図８（Ｂ）は動物用の衣類１０３を犬２０１に装着した状態を示す外観図である。
【図９】図９（Ａ）は、第４の実施形態に係る布１００Ａの平面概略図であり、図９（Ｂ）は、各糸の間で生じる電場を示す図である。
【図１０】図１０（Ａ）は、圧電糸３１の構成を示す一部分解図であり、図１０（Ｂ）は、圧電糸３２の構成を示す一部分解図である。
【図１１】図１１（Ａ）は、圧電糸３３の構成を示す一部分解図であり、図１１（Ｂ）は、圧電糸３４の構成を示す一部分解図である。
【図１２】図１２は、圧電糸３３における圧電フィルム１０の隙間を誇張して示した図である。
【図１３】図１３は、圧電糸３５の構成を示す一部分解図である。
【図１４】図１４は、圧電糸３６の構成を示す図である。
【発明を実施するための形態】
【００３６】
以降、図を参照して幾つかの具体的な例を挙げて、本発明を実施するための複数の形態を示す。各図中には同一箇所に同一符号を付している。要点の説明または理解の容易性を考慮して、便宜上実施形態を分けて示すが、異なる実施形態で示した構成の部分的な置換または組み合わせが可能である。第２の実施形態以降では第１の実施形態と共通の事柄についての記述を省略し、異なる点についてのみ説明する。特に、同様の構成による同様の作用効果については実施形態毎には逐次言及しない。
【００３７】
《第１の実施形態》
図１（Ａ）は、第１の実施形態に係る動物用の衣類１０１の裏地部分を示す図であり、図１（Ｂ）は、動物用の衣類１０１を犬２０１に装着した状態を示す外観図である。図１（Ａ）では、布１００をハッチングで示している。
【００３８】
衣類１０１は、圧電体を含んだ布１００を備える。本実施形態に係る衣類１０１は、動物用の衣類であって、例えば犬用の服である。
【００３９】
衣類１０１は、図１（Ａ）および図１（Ｂ）に示すように、裏地の略全体に布１００が用いられており、犬２０１（動物）に装着される。そのため、装着したときに犬の皮膚と対向するように布１００が配置されている。なお、衣類１０１では、布１００が裏地の一部に設けられていてもよい。
【００４０】
「動物」とは、例えば愛玩動物、動物園等で飼育される動物、家畜として飼育される動物等を指す。本発明における「動物」は、例えば、人間以外の哺乳類（犬、猫、ハムスター、リス、ウサギ、鹿、羊、山羊、馬、牛、豚、象、キリン、猿、チンパンジー等）、爬虫類（ワニ、トカゲ、イグアナ、蛇、亀等）、鳥類（鳩、インコ、オウム、九官鳥、鷲、鷹、梟等）等である。
【００４１】
また、本発明における「衣類」とは、動物が身に付ける物品全般を指す。本発明における「衣類」には、例えば一般的な衣服（服、シャツ、帽子、頭巾、ズボン、パンツ、靴下、靴、マフラー、ストール、スカーフ、手袋、マント、水着、雨具等）だけでなく、治療の際に用いられる衛生材料（包帯、ガーゼ、絆創膏、パッド、テープ、サポーター、マスク）等も含まれる。
【００４２】
また、本発明における「装着」とは、身に付ける行為全般を指す。本発明における「装着」には、例えば一般的な衣服を身に纏う（着る、履く、被る、羽織る、巻き付ける、留める等）行為だけでなく、衛生材料を身に付ける行為（貼る、巻き付ける、留める、縛る等）等も含まれる。
【００４３】
次に、衣類１０１の裏地に用いられる布１００について、図を参照して説明する。図２（Ａ）は、布１００の平面概略図であり、図２（Ｂ）は、各糸の間で生じる電場を示す図である。
【００４４】
布１００は、圧電体からなる圧電糸１と、圧電体からなる圧電糸２と、普通糸３と、が織り込まれてなる。普通糸３は、圧電体が設けられていない糸であり、誘電体に相当する。
【００４５】
図２（Ｂ）に示すように、圧電糸１、圧電糸２、および普通糸３は、並列して配置されている。圧電糸１と圧電糸２は、誘電体に相当する普通糸３を介して、所定の距離だけ離間して配置されている。
【００４６】
後述するように、圧電糸１は軸方向に引っ張られると、表面に負の電荷が生じる。また、後述するように、圧電糸２は軸方向に引っ張られると、表面に正の電荷が生じる。
【００４７】
そのため、これら糸に外力が係った場合、正の電荷を発生する圧電糸２と負の電荷を発生する圧電糸１の間に電場が生じる。圧電糸１と圧電糸２とが近接すると、近接する部分は同電位になろうとする。この同電位部分（圧電糸１と圧電糸２とが近接する部分）の電位を０Ｖとすれば、表面に負の電荷を発生する圧電糸１では糸の芯に相当する部分が正の電荷となる。逆に、圧電糸２では、糸の芯に相当する部分が負の電荷となる。圧電糸１の周りの空間では糸の芯から外側へ向かう電場が形成され、圧電糸２の周りの空間では糸の外側から芯に向かう電場が形成される。これらの電場が結合した結果、圧電糸１と圧電糸２との間には、図２（Ｂ）中の白矢印で示す電場が生じる。すなわち、布１００は、電場を生じる布として機能する。
【００４８】
圧電糸１、圧電糸２、および普通糸３は、極めて近接した状態で配置されているため、距離はほぼ０である。電場の強度は、Ｅ＝Ｖ／ｄで表されるように、電荷を生じる物質間の距離に反比例して大きくなるため、布１００が生じる電場の強度は、非常に大きな値となる。
【００４９】
次に、圧電糸１および圧電糸２の構造について、図を参照して説明する。図３（Ａ）は、圧電糸１の構成を示す一部分解図であり、図３（Ｂ）は、圧電糸２の構成を示す一部分解図である。図４は、圧電フィルム１０の平面図である。
【００５０】
圧電糸１および圧電糸２は、芯糸１１に圧電フィルム１０が巻かれてなる。圧電フィルム１０は、本発明における「圧電体」の一例である。芯糸１１は、綿、絹、または一般的な合成繊維等の中から適宜選択される。芯糸１１は、導電性を備えた導電糸であってもよい。芯糸１１を導電糸とした場合、圧電糸の圧電性を検査する際に、圧電糸１（または圧電糸２）の外周の一部に形成した電極と、芯糸１１とを用いて圧電糸１（または圧電糸２）に生じる電荷を計測することができる。これにより圧電糸１および圧電糸２に用いられた圧電フィルム１０の圧電性能を検査することができる。また、導電糸同士を短絡させることにより、各糸同士に明確に回路が形成され、各糸の表面間に生じる電場は飛躍的に大きくなる。
【００５１】
圧電フィルム１０は、例えば圧電性ポリマーからなる。圧電フィルムは、焦電性を有するものと、焦電性を有していないものがある。例えば、ＰＶＤＦ（ポリフッ化ビニリデン）は、焦電性を有しており、温度変化によっても電荷が発生する。また、ポリ乳酸（ＰＬＡ）は、焦電性を有していない圧電フィルムである。ポリ乳酸は、一軸延伸されることで圧電性が生じる。ポリ乳酸には、Ｌ体モノマーが重合したＰＬＬＡと、Ｄ体モノマーが重合したＰＤＬＡと、がある。
【００５２】
ポリ乳酸のようなキラル高分子は、主鎖が螺旋構造を有する。キラル高分子は、一軸延伸されて分子が配向すると、圧電性を有する。一軸延伸されたポリ乳酸からなる圧電フィルム１０は、厚み方向を第１軸、延伸方向９００を第３軸、第１軸および第３軸の両方に直交する方向を第２軸と定義したとき、圧電歪み定数としてｄ１４およびｄ２５のテンソル成分を有する。したがって、ポリ乳酸は、一軸延伸された方向に対して４５度の方向に歪みが生じた場合に、電荷を発生する。
【００５３】
図５（Ａ）および図５（Ｂ）は、ポリ乳酸の一軸延伸方向と、電場方向と、圧電フィルム１０の変形と、の関係を示す図である。図６（Ａ）は、外力が係った時の圧電糸１を示す図であり、図６（Ｂ）は、外力が係った時の圧電糸２を示す図である。
【００５４】
図５（Ａ）に示すように、圧電フィルム１０は、第１対角線９１０Ａの方向に縮み、第１対角線９１０Ａに直交する第２対角線９１０Ｂの方向に伸びると、紙面の裏側から表側に向く方向に電場を生じる。すなわち、圧電フィルム１０は、紙面表側では、負の電荷が発生する。圧電フィルム１０は、図５（Ｂ）に示すように、第１対角線９１０Ａの方向に伸び、第２対角線９１０Ｂの方向に縮む場合も、電荷を発生するが、極性が逆になり、紙面の表面から裏側に向く方向に電場を生じる。すなわち、圧電フィルム１０は、紙面表側では、正の電荷が発生する。
【００５５】
ポリ乳酸は、延伸による分子の配向処理で圧電性が生じるため、ＰＶＤＦ等の他の圧電性ポリマーまたは圧電セラミックスのように、ポーリング処理を行う必要がない。一軸延伸されたポリ乳酸の圧電定数は、５〜３０ｐＣ／Ｎ程度であり、高分子の中では非常に高い圧電定数を有する。さらに、ポリ乳酸の圧電定数は経時的に変動することがなく、極めて安定している。
【００５６】
圧電フィルム１０は、上記の様な一軸延伸されたポリ乳酸のシートを、例えば幅０．５〜２ｍｍ程度に切り取られることにより生成される。圧電フィルム１０は、図４に示すように、長軸方向と延伸方向９００が一致している。
【００５７】
図３（Ａ）に示すように、圧電糸１は、圧電フィルム１０が芯糸１１に対して左旋回して撚られた左旋回糸（以下、Ｓ糸と称する。）である。延伸方向９００は、圧電糸１の軸方向に対して、左４５度に傾いた状態となる。そのため、図６（Ａ）に示すように、圧電糸１に外力が係ると、圧電フィルム１０は、図５（Ａ）に示した状態のようになり、表面に負の電荷を生じる。これにより、圧電糸１は、外力が係った場合に、表面に負の電荷を生じる。
【００５８】
また、図３（Ｂ）に示すように、圧電糸２は、圧電フィルム１０が芯糸１１に対して右旋回して撚られた右旋回糸（以下、Ｚ糸と称する。）である。延伸方向９００は、圧電糸２の軸方向に対して、右４５度に傾いた状態となる。そのため、図６（Ｂ）に示すように、圧電糸２に外力が係ると、圧電フィルム１０は、図５（Ｂ）に示した状態のようになり、表面に正の電荷を生じる。これにより、圧電糸２は、外力が係った場合に、表面に負の電荷を生じる。
【００５９】
従来から、電場により菌の増殖を抑制することができる旨が知られている（例えば、土戸哲明，高麗寛紀，松岡英明，小泉淳一著、講談社：微生物制御−科学と工学を参照。また、例えば、高木浩一，高電圧・プラズマ技術の農業・食品分野への応用，J.HTSJ，Vol.51，No.216を参照）。或いは、電場を生じさせている電位により、湿気等で形成された電流経路や、局部的なミクロな放電現象等で形成された回路を電流が流れることがある。電場もしくは電流によって水分中に含まれる酸素が活性酸素種に変化する場合がある、または、電場もしくは電流の存在によるストレス環境により菌の細胞内に酸素ラジカルが生成される場合がある。これらのラジカル類を含む活性酸素種の作用により菌が死滅する、または弱体化する。また、上記理由が複合して抗菌効果（菌の増殖を抑制する効果）・殺菌効果を生じている場合もある。したがって、布１００は、自身が発生する電場とその強度の変化によって、抗菌効果を発揮すると考えられる。なお、本実施形態で言う菌とは、細菌、真菌、またはダニやノミ等の微生物を含む。
【００６０】
本実施形態に係る衣類１０１は、次のような効果を奏する。
【００６１】
（ａ）本実施形態に係る布１００は、圧電により電場を生じさせるため、電源が不要であるし、感電のおそれもない。また、圧電体の寿命は、薬剤等による抗菌効果よりも長く持続する。また、薬剤よりもアレルギー反応が生じるおそれは極めて低い。また、布１００は、自身を構成する圧電糸１および圧電糸２によって、布単体で電場を生じさせる。そのため、布１００に移ってくる菌に対して直接的に抗菌作用・抗カビ作用を発揮する。あるいは、布１００は、汗等の水分を介して、動物等の所定の電位を有する物に近接した場合に電流を流す。この電流によっても、直接的に抗菌効果または殺菌効果を発揮する場合がある。あるいは、電流や電圧の作用により水分に含まれる酸素が変化したラジカル種、さらに繊維中に含まれる添加材との相互作用や触媒作用によって生じたラジカル種やその他の抗菌性化学種（アミン誘導体等）によって、間接的に抗菌効果または殺菌効果を発揮する場合がある。生じるラジカル種としては、スーパーオキシドアニオンラジカル（活性酸素）やヒドロキシラジカル等が考えられる。また、電場もしくは電流の存在によるストレス環境により菌の細胞内に酸素ラジカルが生成される場合がある。これらのラジカル類を含む活性酸素種の作用により菌が死滅する、または弱体化する。また、上記の理由が複合して抗菌効果（菌の増殖を抑制する効果）・殺菌効果を生じている場合もある。後述するように、衣類１０１は、白癬菌等による皮膚病に罹患した動物の治療用の衣類として利用できる。
【００６２】
また、本実施形態に係る衣類１０１を動物に装着することで、次のような効果を奏する。
【００６３】
（ｂ）布１００を構成する圧電糸１および圧電糸２は、動物の皮膚の電位（グランド電位を含む。）に近接した場合に、電場を生じさせる。本実施形態では、衣類１０１を動物に装着したときに、動物の皮膚の少なくとも一部に対向するように布１００が近接して配置されるため、布１００（圧電糸１および圧電糸２）に外力が加えられると、動物の皮膚と布１００との間に電場が発生する。したがって、衣類１０１を動物に装着するだけで、布１００と対向する動物の体表面（皮膚および体毛）の悪性菌（細菌）の増殖が抑制され、体表面や体毛での菌の増殖に起因した悪臭の発生も抑制できる。
【００６４】
（ｃ）同様に、衣類１０１を動物に装着するだけで、布１００と対向する動物の皮膚の白癬菌等（真菌）の増殖が抑制される。すなわち、本実施形態に係る衣類１０１を装着することで、白癬菌等による皮膚病の治癒が促される。
【００６５】
また、動物は絶えず動き回るため、布１００（圧電糸１および圧電糸２）には何度も外力が加わり、動物の皮膚と布１００との間に電場が発生する。したがって、本実施形態で示したように、衣類１０１を動物に装着することによる体表面の抗菌効果・防臭効果は高い。
【００６６】
また、衣類１０１を動物に装着したときに、布１００と対向する部分に体毛が無いほうが、動物の皮膚と布１００とが密着しやすくなるため、上述した抗菌効果・抗カビ効果が高まると考えられる。動物の皮膚と布１００とが密着していると、動物の皮膚と布１００との間の距離が短くなるため、動物の皮膚と布１００とが対向する部分の電場の強度が、非常に大きな値となる。したがって、白癬菌等による皮膚病を発症した部分周辺の体毛を剃ることで、白癬菌等による皮膚病の治療効果は高まると考えられる。
【００６７】
なお、多くの菌は、負の電荷を有する。そのため、圧電糸２は、外力が加わったときに発生する正の電荷により、多くの菌を吸着することができる。また、圧電糸２のみを織り込んだ布を衣類に使用することで、負の電荷を有する菌を不活化することもできる。
【００６８】
なお、本実施形態では、圧電体の例として、圧電フィルムを示したが、圧電体は、例えば糸としてノズルから吐出されて延伸されたもの（断面が略円形状の圧電糸、或いは異型断面形状の圧電糸）であってもよい。例えば、ポリ乳酸（ＰＬＬＡ）圧電糸は、溶融紡糸、高延伸処理、または（結晶化のための）熱処理を通じて作成されうる。このような、ＰＬＬＡ圧電糸（フィラメント）を複数撚ってなる糸（マルチフィラメント糸）を構成してもよい。このようなマルチフィラメント糸に張力を掛けた場合にも、Ｓ糸では表面に負の電荷が発生し、Ｚ糸では表面に正の電荷が発生する。このような糸では、芯糸を用いず、単に撚糸とすることができる。このような糸は低コストで製造することができる。マルチフィラメント糸のフィラメント数は、糸の用途を鑑みて設定される。また、撚り数についても適宜設定される。複数のフィラメントの中に部分的に圧電体でないフィラメントが含まれていてもよい。また、それぞれのフィラメントの太さも一様でなくてもよい。複数のフィラメントの太さを一様としないことにより、糸の断面に生じる電位分布に偏りが生じ、対称性が崩されるため、Ｓ糸とＺ糸との間の電場回路が形成されやすくなる。
【００６９】
また、本実施形態では、圧電フィルム１０が芯糸１１に撚られてなる糸の例を示したが、Ｓ糸およびＺ糸いずれの場合も、芯糸１１は必ずしも必要ではない。芯糸１１が無くても、圧電フィルム１０を螺旋状に旋回して圧電糸（旋回糸）とすることは可能である。芯糸１１が無い場合には、旋回糸は、中空糸となり、保温能力が向上する。また、旋回糸そのものに接着剤を含侵させると強度を増すことができる。断面が円形状の圧電糸を芯糸無しで撚り合わせた撚糸であっても構わない。このような糸は低コストで作製が可能である。
【００７０】
また、圧電糸は、エネルギーが加えられた際に電荷が発生するものであればよく、例えば上述のＰＶＤＦなども有用である。ＰＶＤＦ等の焦電性を有する圧電体は、動物の体表面の熱エネルギーによって表面に電荷が生じる。これにより、ＰＶＤＦ等の焦電性を有する圧電体は、抗菌効果を発揮する。すなわち、本発明の圧電糸は、外力が加えられた時に電荷を生じる圧電体であれば、どの様な圧電体であってもよい。
【００７１】
さらに、圧電糸の製造方法としては、あらゆる公知の方法を、採用してもよい。例えば、圧電性高分子を押し出し成型して繊維化する手法、圧電性高分子を溶融紡糸して繊維化する手法、圧電性高分子を乾式あるいは湿式紡糸により繊維化する手法、または圧電性高分子を静電紡糸により繊維化する手法等を採用することができる。
【００７２】
なお、以上に示した各実施形態では、布１００が、同じポリ乳酸（例えばＰＬＬＡ）からなるＳ糸とＺ糸とを組み合わせてなる例を示したが、例えばＰＬＬＡからなるＳ糸と、ＰＤＬＡからなるＳ糸を組み合わせる場合にも、同じ効果を発揮する。また、ＰＬＬＡからなるＺ糸と、ＰＤＬＡからなるＺ糸を組み合わせる場合にも、同じ効果を発揮する。
【００７３】
《第２の実施形態》
第２の実施形態では、第１の実施形態とは異なる動物用の衣類の例を示す。
【００７４】
図７（Ａ）は、第２の実施形態に係る動物用の衣類１０２の外観図であり、図７（Ｂ）は動物用の衣類１０２を猫２０２に装着した状態を示す外観図である。
【００７５】
衣類１０２は、圧電体を含んだ布を備える。本実施形態に係る衣類１０２は、動物用の衣類であって、例えば猫用の服である。
【００７６】
衣類１０２は、裏地の少なくとも一部に布（第１の実施形態で示した布１００）が用いられており、猫（動物）に装着される。そのため、装着したときに猫の皮膚と対向するように布（第１の実施形態で示した布１００）が配置されている。
【００７７】
このように衣類を装着する動物が異なっていても、衣類１０２を動物に装着するだけで、布（第１の実施形態で示した布１００）と対向する動物の体表面（皮膚および体毛）の悪性菌（細菌）の増殖が抑制され、体表面や体毛での菌の増殖に起因した悪臭の発生も抑制できる。
【００７８】
《第３の実施形態》
第３の実施形態では、動物用の衣類が衛生材料である例を示す。
【００７９】
図８（Ａ）は、第３の実施形態に係る動物用の衣類１０３の外観図であり、図８（Ｂ）は動物用の衣類１０３を犬２０１に装着した状態を示す外観図である。図８（Ａ）では、布１００をハッチングで示している。
【００８０】
衣類１０３は、圧電体を含んだ布１００を備える。本実施形態に係る衣類１０３は、動物用の衛生材料（医療部材）であって、例えば犬用のサポーターである。
【００８１】
衣類１０３は、裏地の略全面に布１００が用いられており、犬（動物）の足に装着される。そのため、装着したときに犬の皮膚と対向するように布１００が配置されている。
【００８２】
このように、本発明における衣類は、衛生材料（包帯、ガーゼ、絆創膏、パッド、テープ、サポーター、マスク）等であってもよい。
【００８３】
《第４の実施形態》
第４の実施形態では、第１の実施形態で示した布とは異なる例を示す。
【００８４】
図９（Ａ）は、第４の実施形態に係る布１００Ａの平面概略図であり、図９（Ｂ）は、各糸の間で生じる電場を示す図である。
【００８５】
図９（Ｂ）に示すように、布１００Ａは、圧電糸１、圧電糸２、および普通糸３が、交差して配置されている。このような構成でも、圧電糸１および圧電糸２が交差する位置において電場が生じる。
【００８６】
なお、以上に示した各実施形態では、圧電糸１、圧電糸２、および普通糸３が織られてなる布の例を示したが、この構成に限定されるものではない。本発明における布は、第１の実施形態での定量試験（抗菌性評価、抗カビ性評価）で使用された試験試料のように、圧電体からなる複数の糸が編まれてなる構成であってもよい。また、圧電体の繊維を織らずに絡み合わせてシート状にした不織布であってもよい。
【００８７】
《第５の実施形態》
第５の実施形態では、第１の実施形態で示した糸とは異なる例を示す。
【００８８】
図１０（Ａ）は、圧電糸３１の構成を示す一部分解図であり、図１０（Ｂ）は、圧電糸３２の構成を示す一部分解図である。
【００８９】
圧電糸３１は、Ｓ糸である圧電カバリング糸１Ａの上にさらに圧電フィルム１０が巻かれてなる。圧電糸３２は、Ｚ糸である圧電カバリング糸２Ａの上にさらに圧電フィルム１０が巻かれてなる。
【００９０】
図１０（Ａ）に示すように、圧電糸３１は、圧電カバリング糸１Ａに対して圧電フィルム１０が左旋回してカバーされた左旋回糸（Ｓ糸）である。延伸方向９００は、圧電糸３１の軸方向に対して、左４５度に傾いた状態となる。延伸方向９００は、圧電カバリング糸１Ａの延伸方向９００Ａと一致している。圧電カバリング糸１Ａ、２Ａは芯糸を備えない撚糸であっても良い。また芯糸が導電糸であってもよい。
【００９１】
圧電糸３１が軸方向に引っ張られると（外力が係ると）、圧電カバリング糸１Ａの表面には負の電荷が生じる。一方、圧電カバリング糸１Ａの表面に対向する圧電フィルム１０の裏面には、正の電荷が生じる。これら圧電カバリング糸１Ａの表面と圧電フィルム１０の裏面とが完全に密着したとき、この部分は同電位となる。しかし、糸の伸縮等により偶発的に生じた隙間等において、電位差が定義されたときにこの隙間に電場が生じる。各所の電位差は、糸同士が複雑に絡み合うことにより形成される電場結合回路、或いは水分等で糸の中に偶発的に形成される電流パスで形成される回路により定義される。回路が形成された時、電場の強度は、電荷を生じる物質間の距離に反比例して大きくなるため、圧電カバリング糸１Ａの表面と、圧電フィルム１０の裏面との間に生じる電場の強度は、極めて高くなる場合がある。すなわち、この構成により、糸自体の抗菌作用・抗カビ作用はさらに高まる。なお、圧電糸３１が軸方向に引っ張られると（外力が係ると）、圧電糸３１の表面（圧電フィルム１０の表面）には、負の電荷が生じる。したがって、表面に正の電荷が生じる糸（後述する圧電糸３２）と組み合わせることにより、さらに糸同士の間で電場を生じさせることもできる。
【００９２】
一方、図１０（Ｂ）に示すように、圧電糸３２は、圧電カバリング糸２Ａに対して圧電フィルム１０右旋回してカバーされた右旋回糸（Ｚ糸）である。延伸方向９００は、圧電糸３２の軸方向に対して、右４５度に傾いた状態となる。延伸方向９００は、圧電カバリング糸２Ａの延伸方向９００Ａと一致している。
【００９３】
圧電糸３２が軸方向に引っ張られると（外力が係ると）、圧電カバリング糸２Ａの表面（圧電フィルム１０の表面）には正の電荷が生じる。一方、圧電カバリング糸２Ａの表面に対向する圧電フィルム１０の裏面には、負の電荷が生じる。これら圧電カバリング糸２Ａの表面と圧電フィルム１０の裏面とが完全に密着したとき、この部分は同電位となる。しかし、糸の伸縮等により偶発的に生じた隙間等において、電位差が定義されたときにこの隙間に電場が生じる。各所の電位差は、糸同士が複雑に絡み合うことにより形成される電場結合回路、或いは水分等で糸の中に偶発的に形成される電流パスで形成される回路により定義される。回路が形成された時、電場の強度は、電荷を生じる物質間の距離に反比例して大きくなるため、圧電カバリング糸２Ａの表面と、圧電フィルム１０の裏面との間に生じる電場の強度は、極めて高くなる場合がある。すなわち、この構成により、圧電糸３１の場合と同様に、糸自体の抗菌作用・抗カビ作用はさらに高まる。なお、圧電糸３２が軸方向に引っ張られると（外力が係ると）、圧電糸３２の表面（圧電フィルム１０Ａの表面）には、正の電荷が生じる。したがって、圧電糸３１のように表面に負の電荷が生じる糸と組み合わせることにより、糸同士の間で電場を生じさせることもできる。
【００９４】
また、本発明における糸は、次に示すような構成であってもよい。図１１（Ａ）は、圧電糸３３の構成を示す一部分解図であり、図１１（Ｂ）は、圧電糸３４の構成を示す一部分解図である。
【００９５】
圧電糸３３は、圧電カバリング糸１Ａの上に圧電フィルム１０が巻かれてなる。圧電糸３４は、圧電カバリング糸２Ａに圧電フィルム１０が巻かれてなる。
【００９６】
図１１（Ａ）に示すように、圧電糸３３は、圧電カバリング糸１Ａに対して圧電フィルム１０が右旋回してカバーされた右旋回糸（Ｚ糸）である。延伸方向９００は、圧電糸３３の軸方向に対して、右４５度に傾いた状態となる。延伸方向９００は、圧電カバリング糸１Ａの延伸方向９００Ａと異なっている。
【００９７】
また、図１１（Ｂ）に示すように、圧電糸３４は、圧電カバリング糸２Ａに対して圧電フィルム１０が左旋回してカバーされた左旋回糸（Ｓ糸）である。延伸方向９００は、圧電糸３４の軸方向に対して、左４５度に傾いた状態となる。延伸方向９００は、圧電カバリング糸２Ａの延伸方向９００Ａと異なっている。
【００９８】
図１２は、圧電糸３３における圧電フィルム１０の隙間を誇張して示した図である。圧電糸３３は、圧電フィルム１０をカバリング糸に巻く場合、ある程度の隙間Ｄが生じる。この隙間Ｄにより、圧電糸３３が軸方向に引っ張られた場合、圧電カバリング糸１Ａの表面と、圧電フィルム１０の表面との間に電場が生じ、回路が形成される。したがって、この構成により、糸自体の抗菌作用・抗カビ作用はさらに高まる。圧電糸３４も同様である。
【００９９】
なお、圧電糸３３において、圧電カバリング糸１Ａまたは圧電フィルム１０のいずれか一方にＰＤＬＡを用いた場合、圧電カバリング糸１Ａの表面に生じる電荷と圧電フィルム１０の裏面に生じる電荷の極性が異なるため、圧電糸３１と同様の構成となり、圧電カバリング糸１Ａの表面と、圧電フィルム１０の裏面との間に強い電場が生じる。圧電糸３４において、圧電カバリング糸２Ａまたは圧電フィルム１０のいずれか一方にＰＤＬＡを用いた場合も同様である。
【０１００】
さらに、本発明における糸は、次に示すような構成であってもよい。図１３は、圧電糸３５の構成を示す一部分解図である。
【０１０１】
圧電糸３５は、圧電糸１および圧電糸２が互いに左旋回して撚られた糸（Ｓ糸）である。圧電糸３５は、表面に負の電荷を生じる圧電糸１と、表面に正の電荷を生じる圧電糸２とが交差してなるため、糸単体で電場を生じさせることができる。上述したように、圧電糸１の表面と圧電糸２の表面とにそれぞれ生じた電位は、圧電糸１の表面と圧電糸２の表面とが近接する部分で同電位になろうとする。それに応じて、糸の内部の電位が変化して、糸の表面と内部との電位差を保とうとする。それぞれの糸において、糸の内部と表面との間に形成される電場が空気中に漏れ出て、結合し、圧電糸１と圧電糸２とが近接する部分には強い電場が形成される。撚糸の構造は複雑であり、圧電糸１と圧電糸２とが近接する部分は一様ではない。また、圧電糸１および圧電糸２に張力が加わると、圧電糸１と圧電糸２とが近接する部分も変化する。これにより、それぞれの部分での電場の強度には変化があり、対称形が崩された電場回路が生じることとなる。なお、圧電糸１および圧電糸２が互いに右旋回して撚られた糸（Ｚ糸）も、表面に負の電荷を生じる圧電糸１と、表面に正の電荷を生じる圧電糸２とが交差してなるため、糸単体で電場を生じさせることができる。圧電糸１の撚り数、圧電糸２の撚り数、またはこれらの糸を撚り合わせた圧電にと３５の撚り数は、抗菌効果を鑑みて決定される。これまでに示してきた応用例の全ては、圧電糸３５を用いて構成することができる。なお、圧電糸１および圧電糸２が互いに右旋回して撚られた糸（Ｚ糸）も、表面に負の電荷を生じる圧電糸１と、表面に正の電荷を生じる圧電糸２とが交差してなるため、糸単体で電場を生じさせることができる。
【０１０２】
また、他にも、Ｓ糸（またはＺ糸）の側面に普通糸を撚り、さらに側面にＺ糸（またはＳ糸）を撚った、３重のカバリング糸であっても、糸単体で電場を生じさせることができる。
【０１０３】
また、本発明における糸は、図１４に示す圧電糸３６のように、普通糸の表面に右旋回させる圧電糸１と左旋回させる圧電糸２とを同時に構成する組紐からなる糸（第３の糸）であってもよい。図１４は、圧電糸３６の構成を示す図である。このような構成であっても、図１４に示すように、圧電糸１と圧電糸２が交差する位置において電場が生じるため、糸単体で電場を生じさせることができる。
【０１０４】
なお、表面に負の電荷を生じる糸としては、ＰＬＬＡを用いたＳ糸の他にも、ＰＤＬＡを用いたＺ糸も考えられる。また、表面に正の電荷を生じる糸としては、ＰＬＬＡを用いたＺ糸の他にも、ＰＤＬＡを用いたＳ糸も考えられる。したがって、例えば、図１４に示した構成において、ＰＬＬＡを用いたＳ糸と、ＰＤＬＡを用いたＺ糸を互いに左旋回して撚られた糸（Ｓ糸）または右旋回して撚られた糸（Ｚ糸）からなる圧電糸も、糸単体で電場を生じさせることができる。
【０１０５】
次に、圧電体からなる糸の抗菌効果を説明する。本発明の発明者は、圧電体からなる糸が織り込まれた布の菌抑制効果を評価するため、以下の（１）（２）に示す定量試験を行った。
【０１０６】
（１）圧電体からなる糸が織り込まれた布の抗菌性評価
ａ）試験方法    ：  菌液吸収法（JIS L1902）
ｂ）試験菌      ：  黄色ブドウ球菌（Staphylococcus aureus NBRC12732）
ｃ）接種菌液濃度：  1.4×105（CFU/mL）
ｄ）標準布      ：綿糸で織られた布、および綿糸で編まれた布
ｅ）試験試料（抗菌加工試料）：  Ｓ糸（圧電糸１）とＺ糸（圧電糸２）とを左旋回して撚られたＳ糸（圧電糸３５）で編まれた布。
【０１０７】
［計算式］
・増殖値    ：  Ｇ＝Ｍｂ−Ｍａ
・抗菌活性値：  Ａ＝（Ｍｂ−Ｍａ）−（Ｍｃ−Ｍｏ）
通常の抗菌加工製品は、抗菌活性値Ａ≧２．０〜２．２とされる。
【０１０８】
・Ｍａ  ：試験菌接種直後における標準布の３検体の生菌数（またはＡＴＰ量）の算術平均常用対数
・Ｍｂ  ：１８〜２４時間培養後における標準布の３検体の生菌数（またはＡＴＰ量）の算術平均常用対数
・Ｍｏ  ：試験菌接種直後における試験試料（抗菌加工試料）の３検体の生菌数（またはＡＴＰ量）の算術平均常用対数
・Ｍｃ  ：１８〜２４時間培養後における試験試料（抗菌加工試料）の３検体の生菌数（またはＡＴＰ量）の算術平均常用対数
【０１０９】
【表１】
2018075348.tif 000003
【０１１０】
表１から明らかなように、試験試料（圧電体からなる糸が織り込まれた布）は、細菌に対して、標準布に比べて高い抗菌作用を有する。また、試験試料を静置した状態に比べて、試験試料を振動させているほうが、抗菌作用が高いことが分かる。特に、試験試料を振動させて電場が生じている場合には、試験菌（細菌）接種から１８時間後に正菌がほとんど観測されず、高い抗菌作用を発揮する。
【０１１１】
（２）圧電体からなる糸が織り込まれた布の抗カビ性評価
ａ）試験方法    ：  抗かび性定量試験法（一般社団法人繊維評価技術評議会が定める方法）
ｂ）試験菌      ：  クロコウジカビ（Aspergillus niger NBRC105649）
ｃ）接種菌液濃度：  1.1×105（CFU/mL）
ｄ）標準布      ：綿糸で織られた布、および綿糸で編まれた布
ｅ）試験試料（抗菌加工試料）：  Ｓ糸（圧電糸１）とＺ糸（圧電糸２）とを左旋回して撚られたＳ糸（圧電糸３５）で編まれた布。
【０１１２】
［計算式］
・発育値      ：  Ｆ＝Ｆｂ−Ｆａ
・抗かび活性値：  ＦＳ＝（Ｆｂ−Ｆａ）−（Ｆｃ−Ｆｏ）
・Ｆａ  ：試験菌接種直後における標準布の３検体の生菌数（またはＡＴＰ量）の算術平均常用対数
・Ｆｂ  ：４２時間培養後における標準布の３検体の生菌数（またはＡＴＰ量）の算術平均常用対数
・Ｆｏ  ：試験菌接種直後における試験試料（抗菌加工試料）の３検体の生菌数（またはＡＴＰ量）の算術平均常用対数
・Ｆｃ  ：４２時間培養後における試験試料（抗菌加工試料）の３検体の生菌数（またはＡＴＰ量）の算術平均常用対数
【０１１３】
【表２】
2018075348.tif 000004
【０１１４】
表２から明らかなように、試験試料（圧電体からなる糸が織り込まれた布）は、真菌（カビ等）に対しても、標準布に比べて高い抗菌作用を有する。また、試験試料を静置した状態に比べて、試験試料を振動させているほうが、抗カビ作用が高いことが分かる。すなわち、試験試料を振動させて電場を生じさせている場合に、高い抗カビ作用を発揮する。
【０１１５】
以上の結果から、圧電体からなる糸が織り込まれた布１００は抗菌性および抗カビ性を有することが明らかとなった。
【０１１６】
最後に、上述の実施形態の説明は、すべての点で例示であって、制限的なものではない。当業者にとって変形および変更が適宜可能である。本発明の範囲は、上述の実施形態ではなく、特許請求の範囲によって示される。さらに、本発明の範囲には、特許請求の範囲内と均等の範囲内での実施形態からの変更が含まれる。
【符号の説明】
【０１１７】
Ｄ…隙間
１，２…圧電糸
１Ａ，２Ａ…圧電カバリング糸
３…普通糸
１０…圧電フィルム
１１…芯糸
３１，３２，３３，３３Ａ，３４，３５，３６…圧電糸
１００，１００Ａ…布
１０１，１０２，１０３…衣類
２０１…犬（動物）
２０２…猫（動物）
９００，９００Ａ…延伸方向
９１０Ａ…第１対角線
９１０Ｂ…第２対角線
【図１】
2018075348.tif 000005
【図２】
2018075348.tif 000006
【図３】
2018075348.tif 000007
【図４】
2018075348.tif 000008
【図５】
2018075348.tif 000009
【図６】
2018075348.tif 000010
【図７】
2018075348.tif 000011
【図８】
2018075348.tif 000012
【図９】
2018075348.tif 000013
【図１０】
2018075348.tif 000014
【図１１】
2018075348.tif 000015
【図１２】
2018075348.tif 000016
【図１３】
2018075348.tif 000017
【図１４】
2018075348.tif 000018